(57)【要約】【課題】錠剤シートで収容する錠剤を取り出す錠剤取出し装置で、調剤する錠剤の錠剤数分の錠剤が取出し可能となるように、調剤する錠剤を収容する錠剤シートを取り出す払出装置で錠剤シートを取り出し可能な仕組みを提供すること。【解決手段】調剤する錠剤の錠剤数を、当該錠剤を収容する錠剤シート１枚に収容される錠剤数で除算したときに剰余が発生する場合であっても、錠剤供給装置により、錠剤シートで収容する錠剤を取り出す場合には、当該剰余分の錠剤数となるように錠剤シートを切り取ることなく、当該錠剤シートを取り出すように制御する。【選択図】図６
2018051111.tif 000002
【特許請求の範囲】
【請求項１】
錠剤シートを収納する錠剤シート収納部と、当該錠剤シート収納部から調剤する錠剤を収容する錠剤シートを取り出す取出手段とを備える払出装置であって、
錠剤を収容する錠剤シート１枚に収容される錠剤数を管理する管理手段と、
調剤する錠剤の錠剤数を取得する取得手段と、
前記取得手段で取得した錠剤数を、前記管理手段で管理する当該錠剤を収容する錠剤シート１枚に収容される錠剤数で除算したときに剰余が発生するかを判定する判定手段と、
前記判定手段により剰余が発生すると判定された場合に、前記錠剤シートで収容する錠剤数が、当該剰余分の錠剤数となるように前記錠剤シートを切り取る切取手段と、
錠剤シートに収容される錠剤を取り出して供給する錠剤供給装置により、前記取出し手段で取り出した錠剤シートで収容する錠剤を取り出す場合には、前記判定手段により剰余が発生すると判定された場合であっても、当該剰余分の錠剤数となるように前記錠剤シートを前記切取手段で切り取ることなく、前記取出し手段により当該錠剤シートを取り出すように制御する制御手段と
を備えることを特徴とする払出装置。
【請求項２】
前記取出し手段で取り出した錠剤シートに収容される錠剤を、前記錠剤供給装置により錠剤を取り出すかの選択を受け付ける受付手段を備えることを特徴とする請求項１に記載の払出装置。
【請求項３】
前記受付手段は、更に、錠剤シートから取り出された錠剤を投入する錠剤投入部であって、当該錠剤投入部に投入された錠剤を供給する錠剤投入部から、前記取出し手段で取り出した錠剤シートに収容される錠剤を供給するかの選択を受け付け、
前記受付手段により、前記錠剤投入部から前記取出し手段で取り出した錠剤シートに収容される錠剤を供給する選択を受け付け、かつ前記判定手段により剰余が発生すると判定された場合に、前記制御手段は、前記剰余分の錠剤数となるように前記切取手段で前記錠剤シートを切り取るように制御することを特徴とする請求項２に記載の払出装置。
【請求項４】
前記受付手段は、前記取出し手段で取り出した錠剤シートを、当該錠剤シートから錠剤を取り出すことなく患者に渡すかの選択を受け付け、
前記受付手段により、前記取出し手段で取り出した錠剤シートを、当該錠剤シートから錠剤を取り出すことなく患者に渡すとの選択を受け付け、かつ前記判定手段により剰余が発生すると判定された場合に、前記制御手段は、前記剰余分の錠剤数となるように前記切取手段で前記錠剤シートを切り取るように制御することを特徴とする請求項２に記載の払出装置。
【請求項５】
錠剤シートを収納する錠剤シート収納部と、当該錠剤シート収納部から調剤する錠剤を収容する錠剤シートを取り出す取出手段とを備える払出装置と通信可能な情報処理装置であって、
錠剤を収容する錠剤シート１枚に収容される錠剤数を管理する管理手段と、
調剤する錠剤の錠剤数を取得する取得手段と、
前記取得手段で取得した錠剤数を、前記管理手段で管理する当該錠剤を収容する錠剤シート１枚に収容される錠剤数で除算したときに剰余が発生するかを判定する判定手段と、
前記判定手段により剰余が発生すると判定された場合に、前記錠剤シートで収容する錠剤数が、当該剰余分の錠剤数となるように前記払出装置で当該錠剤シートを切り取るように設定する設定手段とを備え、
前記設定手段は、錠剤シートで収容する錠剤を取り出して供給する錠剤供給装置により、前記取出し手段で取り出した錠剤シートで収容する錠剤を取り出す場合には、前記判定手段により剰余が発生すると判定された場合であっても、当該剰余分の錠剤数となるように前記払出装置で当該錠剤シートを切り取るように設定することなく、前記取出し手段により当該錠剤シートを取り出すように設定することを特徴とする情報処理装置。
【請求項６】
錠剤シートを収納する錠剤シート収納部と、当該錠剤シート収納部から調剤する錠剤を収容する錠剤シートを取り出す取出手段とを備える払出装置と通信可能であり、錠剤を収容する錠剤シート１枚に収容される錠剤数を管理する管理手段を備える情報処理装置の制御方法であって、
前記情報処理装置の取得手段が調剤する錠剤の錠剤数を取得する取得工程と、
前記情報処理装置の判定手段が、前記取得工程で取得した錠剤数を、前記管理手段で管理する当該錠剤を収容する錠剤シート１枚に収容される錠剤数で除算したときに剰余が発生するかを判定する判定工程と、
前記情報処理装置の設定手段が、前記判定工程で剰余が発生すると判定された場合に、前記錠剤シートで収容する錠剤数が、当該剰余分の錠剤数となるように前記払出装置で当該錠剤シートを切り取るように設定する設定工程とを備え、
前記設定工程は、錠剤シートで収容する錠剤を取り出して供給する錠剤供給装置により、前記取出し手段で取り出した錠剤シートで収容するから錠剤を取り出す場合には、前記判定工程により剰余が発生すると判定された場合であっても、当該剰余分の錠剤数となるように前記払出装置で当該錠剤シートを切り取るように設定することなく、前記取出し手段により当該錠剤シートを取り出すように設定することを特徴とする情報処理装置の制御方法。
【請求項７】
錠剤シートを収納する錠剤シート収納部と、当該錠剤シート収納部から調剤する錠剤を収容する錠剤シートを取り出す取出手段とを備える払出装置と通信可能であり、錠剤を収容する錠剤シート１枚に収容される錠剤数を管理する管理手段を備える情報処理装置で読み取り実行可能なプログラムであって、
前記情報処理装置を、
調剤する錠剤の錠剤数を取得する取得手段と、
前記取得手段で取得した錠剤数を、前記管理手段で管理する当該錠剤を収容する錠剤シート１枚に収容される錠剤数で除算したときに剰余が発生するかを判定する判定手段と、
前記判定手段により剰余が発生すると判定された場合に、前記錠剤シートで収容する錠剤数が、当該剰余分の錠剤数となるように前記払出装置で当該錠剤シートを切り取るように設定する設定手段として機能させ、
前記設定手段は、錠剤シートで収容する錠剤を取り出して供給する錠剤供給装置により、前記取出し手段で取り出した錠剤シートで収容する錠剤を取り出す場合には、前記判定手段により剰余が発生すると判定された場合であっても、当該剰余分の錠剤数となるように前記払出装置で当該錠剤シートを切り取るように設定することなく、前記取出し手段により当該錠剤シートを取り出すように設定することを特徴とするプログラム。
【発明の詳細な説明】
【技術分野】
【０００１】
本発明は、払出装置、払出装置の制御方法、情報処理装置、情報処理装置の制御方法、およびプログラムに関し、特に、錠剤シートで収容する錠剤を取り出す錠剤取出し装置で、調剤する錠剤の錠剤数分の錠剤が取出し可能となるように、調剤する錠剤を収容する錠剤シートを取り出す払出装置で錠剤シートを取り出し可能な仕組みに関する。
【背景技術】
【０００２】
従来、病院等の薬局における調剤作業は薬剤師が医師の処方箋に従って行っているが、特に診療分野が広い総合病院等にあっては、常時取り出し可能にしておく錠剤の種類が多いため、その中から処方箋に含まれる錠剤を探して調剤する作業は非常に負担のかかる作業であった。
【０００３】
そこで、予め設定したプログラムに基づいて所定の錠剤の所定個数分を、錠剤シートの端数分を含めて自動的に払い出す（調剤する）錠剤シート払出装置（調剤装置ともいう）が開発されている（例えば特許文献１）。
【０００４】
調剤装置で調剤された錠剤シートは、そのまま患者に直接渡されることもあれば、錠剤シートから自動的に錠剤を取り出して包装紙に分包する錠剤取出し装置（錠剤供給装置や分包機ともいう）で分包してから患者に渡されることもある（例えば特許文献２）。
【先行技術文献】
【特許文献】
【０００５】
【特許文献１】特開２００８−２５９５８４号公報
【特許文献２】特開２０１３−２１２８４７号公報
【発明の概要】
【発明が解決しようとする課題】
【０００６】
ところで、錠剤シート払出装置では、錠剤に端数がある場合、端数分の錠剤を錠剤シートから切り取って払い出す仕組みとなっている。
【０００７】
ここでいう端数とは、たとえば、処方箋に含まれる錠剤数が１２錠で、錠剤シート１枚あたりに収容されている錠剤が１０錠の場合は、２錠が端数となる。
【０００８】
しかしながら、錠剤取出し装置で分包する場合、錠剤取出し装置の構造上、端数の錠剤シートを錠剤取出し位置まで搬送できない恐れがあった。
【０００９】
より具体的に説明すると、錠剤取り出し装置の錠剤シートがセットされる位置から錠剤取出し位置までの間には、錠剤取出し位置まで錠剤シートを搬送するためのローラーが所定の間隔をあけて複数備えられているが、その間隔が錠剤シート１枚の平均の長さにあわせてあけられているため、端数の錠剤シートのように通常より短い錠剤シートの場合、ローラーとローラーの間で止まってしまい、錠剤取出しユニットの動作を妨げる恐れがあった。
【００１０】
本発明は、錠剤シートで収容する錠剤を取り出す錠剤取出し装置で、調剤する錠剤の錠剤数分の錠剤が取出し可能となるように、調剤する錠剤を収容する錠剤シートを取り出す払出装置で錠剤シートを取り出し可能な仕組みを提供することを目的とする。
【課題を解決するための手段】
【００１１】
本発明は、錠剤シートを収納する錠剤シート収納部と、当該錠剤シート収納部から調剤する錠剤を収容する錠剤シートを取り出す取出手段とを備える払出装置であって、錠剤を収容する錠剤シート１枚に収容される錠剤数を管理する管理手段と、調剤する錠剤の錠剤数を取得する取得手段と、前記取得手段で取得した錠剤数を、前記管理手段で管理する当該錠剤を収容する錠剤シート１枚に収容される錠剤数で除算したときに剰余が発生するかを判定する判定手段と、前記判定手段により剰余が発生すると判定された場合に、前記錠剤シートで収容する錠剤数が、当該剰余分の錠剤数となるように前記錠剤シートを切り取る切取手段と、錠剤シートで収容する錠剤を取り出して供給する錠剤供給装置により、前記取出し手段で取り出した錠剤シートで収容する錠剤を取り出す場合には、前記判定手段により剰余が発生すると判定された場合であっても、当該剰余分の錠剤数となるように前記錠剤シートを前記切取手段で切り取ることなく、前記取出し手段により当該錠剤シートを取り出すように制御する制御手段とを備えることを特徴とする。
【００１２】
また、本発明は、錠剤シートを収納する錠剤シート収納部と、当該錠剤シート収納部から調剤する錠剤を収容する錠剤シートを取り出す取出手段とを備える払出装置と通信可能な情報処理装置であって、錠剤を収容する錠剤シート１枚に収容される錠剤数を管理する管理手段と、調剤する錠剤の錠剤数を取得する取得手段と、前記取得手段で取得した錠剤数を、前記管理手段で管理する当該錠剤を収容する錠剤シート１枚に収容される錠剤数で除算したときに剰余が発生するかを判定する判定手段と、前記判定手段により剰余が発生すると判定された場合に、前記錠剤シートで収容する錠剤数が、当該剰余分の錠剤数となるように前記払出装置で当該錠剤シートを切り取るように設定する設定手段とを備え、前記設定手段は、錠剤シートで収容する錠剤を取り出して供給する錠剤供給装置により、前記取出し手段で取り出した錠剤シートで収容する錠剤を取り出す場合には、前記判定手段により剰余が発生すると判定された場合であっても、当該剰余分の錠剤数となるように前記払出装置で当該錠剤シートを切り取るように設定することなく、前記取出し手段により当該錠剤シートを取り出すように設定することを特徴とする。
【００１３】
また、本発明は、錠剤シートを収納する錠剤シート収納部と、当該錠剤シート収納部から調剤する錠剤を収容する錠剤シートを取り出す取出手段とを備える払出装置と通信可能であり、錠剤を収容する錠剤シート１枚に収容される錠剤数を管理する管理手段を備える情報処理装置の制御方法であって、前記情報処理装置の取得手段が調剤する錠剤の錠剤数を取得する取得工程と、前記情報処理装置の判定手段が、前記取得工程で取得した錠剤数を、前記管理手段で管理する当該錠剤を収容する錠剤シート１枚に収容される錠剤数で除算したときに剰余が発生するかを判定する判定工程と、前記情報処理装置の設定手段が、前記判定工程で剰余が発生すると判定された場合に、前記錠剤シートで収容する錠剤数が、当該剰余分の錠剤数となるように前記払出装置で当該錠剤シートを切り取るように設定する設定工程とを備え、前記設定工程は、錠剤シートで収容する錠剤を取り出して供給する錠剤供給装置により、前記取出し手段で取り出した錠剤シートで収容する錠剤を取り出す場合には、前記判定工程により剰余が発生すると判定された場合であっても、当該剰余分の錠剤数となるように前記払出装置で当該錠剤シートを切り取るように設定することなく、前記取出し手段により当該錠剤シートを取り出すように設定することを特徴とする。
【００１４】
また、本発明は、錠剤シートを収納する錠剤シート収納部と、当該錠剤シート収納部から調剤する錠剤を収容する錠剤シートを取り出す取出手段とを備える払出装置と通信可能であり、錠剤を収容する錠剤シート１枚に収容される錠剤数を管理する管理手段を備える情報処理装置で読み取り実行可能なプログラムであって、前記情報処理装置を、調剤する錠剤の錠剤数を取得する取得手段と、前記取得手段で取得した錠剤数を、前記管理手段で管理する当該錠剤を収容する錠剤シート１枚に収容される錠剤数で除算したときに剰余が発生するかを判定する判定手段と、前記判定手段により剰余が発生すると判定された場合に、前記錠剤シートで収容する錠剤数が、当該剰余分の錠剤数となるように前記払出装置で当該錠剤シートを切り取るように設定する設定手段として機能させ、前記設定手段は、錠剤シートで収容する錠剤を取り出して供給する錠剤供給装置により、前記取出し手段で取り出した錠剤シートで収容する錠剤を取り出す場合には、前記判定手段により剰余が発生すると判定された場合であっても、当該剰余分の錠剤数となるように前記払出装置で当該錠剤シートを切り取るように設定することなく、前記取出し手段により当該錠剤シートを取り出すように設定することを特徴とする。
【発明の効果】
【００１５】
本発明によると、錠剤シートで収容する錠剤を取り出す錠剤取出し装置で、調剤する錠剤の錠剤数分の錠剤が取出し可能となるように、調剤する錠剤を収容する錠剤シートを取り出す払出装置で錠剤シートを取り出すことができる。
【図面の簡単な説明】
【００１６】
【図１】本願発明における錠剤供給システムの一例を示す図。
【図２】情報処理装置３００と錠剤シート払出装置１００のハードウェア構成の一例を示す図。
【図３】本願発明における処方データテーブルの一例を示す図。
【図４】本願発明における薬剤データテーブルの一例を示す図。
【図５】本願発明を適用した場合と従来の場合の、錠剤シート払出装置１００による端数の錠剤の払い出しの違いを示す図。
【図６】本願発明における、情報処理装置３００のディスプレイ２０５、または錠剤シート払出装置１００のディスプレイ２１３に表示される設定画面の一例を示す図。
【図７】本願発明における、錠剤シート払出装置１００による錠剤シートの払い出し処理の一例を示す図。
【発明を実施するための形態】
【００１７】
以下、図面を参照して、本発明の実施形態を詳細に説明する。なお、以下説明する実施形態は、本発明を具体的に実施した場合の一例を示すもので、特許請求の範囲に記載した構成の具体的な実施形態の１つである。
【００１８】
なお、以下の実施例において、錠剤とカプセルを別のものとして説明するが、錠剤にカプセルを含むとしても良い。また、以下の実施例において、分包と包装は同義である。
【００１９】
図１は、供給された錠剤を包装する包装装置５と、錠剤シートから錠剤を取り出して包装装置５に供給する錠剤供給装置１０（以下、錠剤供給装置１０と包装装置５とを併せて「錠剤取出し装置２００と呼ぶ」）と、予め設定したプログラムに基づいて所定の錠剤の所定個数分を、錠剤シートの端数分を含めて自動的に払い出す錠剤シート払出装置１００と、情報処理装置３００を含む錠剤供給システムの一例を示す図である。
【００２０】
本発明において、錠剤シート払出装置１００は、既知の錠剤シート払出装置を用いることができ、例えば、「特開２００８−２５９５８４号公報」に記載の調剤装置（調剤装置１）を用いることが出来る。なお、本発明では、「特開２００８−２５９５８４号公報」に記載の「錠剤カセット」を収納棚や、錠剤シート収納部、ＰＴＰシートカセットとも呼ぶ。
【００２１】
錠剤シート払出装置１００は、端数分の錠剤については、当該端数分の錠剤数となるように前記錠剤シートを切り取る切取手段を備えている。
【００２２】
錠剤シート払出装置１００は、本発明における錠剤シートを収納する錠剤シート収納部と、当該錠剤シート収納部から調剤する錠剤を収容する錠剤シートを取り出す取出手段とを備える払出装置の一例である。
【００２３】
本発明において、錠剤取出し装置２００は、既知の錠剤取出し装置を用いることができ、例えば、「特開２０１３−２１２８４７号公報」に記載の錠剤供給システム（包装装置５と錠剤供給装置１０を含む錠剤供給システム）を用いることが出来る。
【００２４】
錠剤取出し装置２００は、本発明における錠剤シートに収容される錠剤を取り出して供給する錠剤供給装置の一例である。
【００２５】
錠剤供給装置１０には、複数の錠剤取出ユニットが搭載されており、この錠剤取出ユニットにより錠剤シートから錠剤が取り出され、錠剤を包装する包装装置５に錠剤が供給される。
【００２６】
このような錠剤取出ユニット１は、情報処理装置３００のキーボードや、包装装置５に設けられたタッチパネル式のディスプレイ１０１等から分包条件を入力されることで、錠剤の取出動作を行うことができる。
【００２７】
また、錠剤取出し装置２００は、錠剤を手撒きするための手撒きマス１０２、散薬を投入するための散薬投入口１０３を備える。
【００２８】
なお、本発明における錠剤の種類とは、錠剤（薬剤）名や、錠剤（薬剤）を識別するための識別情報（例えば薬品コードや、薬剤Ｎｏ、薬剤コードと呼ばれるもの）のことである。
【００２９】
３００は、情報処理装置であり、錠剤シート払出装置１００、錠剤取出し装置２００と通信インターフェースで接続している。情報処理装置３００には、ユーザから処方内容の入力を受け付け、入力された処方内容の情報をカセット式分包機（例えば、「国際公開第２０１４／１１２２２１号」に記載の「薬品払出装置１００」）、錠剤取出し装置２００に送信したり、錠剤シート払出装置１００に錠剤シートを払い出させたり、錠剤取出し装置２００に分包動作を実行する指示をしたりするためのソフトウェアがインストールされている。以上で、図１の説明を終了する。
【００３０】
次に、図２を用いて情報処理装置３００と錠剤シート払出装置１００のハードウェア構成の一例について説明する。
【００３１】
まず情報処理装置３００のハードウェア構成について説明する。情報処理装置３００のＣＰＵ２０１は、システムバスに接続される各デバイスやコントローラを統括的に制御する。また、ＲＯＭ２０２あるいは外部メモリ２０７には、ＣＰＵ２０１の制御プログラムであるＢＩＯＳ（Ｂａｓｉｃ  Ｉｎｐｕｔ／Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。ＲＡＭ２０４は、ＣＰＵ２０１の主メモリ、ワークエリア等として機能する。ＣＰＵ２０１は、処理の実行に際して必要なプログラム等をＲＡＭ２０４にロードして、プログラムを実行することで各種動作を実現するものである。
【００３２】
また、ＣＰＵ２０１は、キーボードや不図示のマウス等の入力端末２０６からの入力や、ディスプレイ２０５等の表示器への表示を制御し、さらに、ブートプログラム、ブラウザソフトウエア、各種のアプリケーション、フォントデータ、ユーザファイル、編集ファイル、各種データ等を記憶するハードディスク（ＨＤ）やフロッピー（登録商標）ディスク或いはＰＣＭＣＩＡカードスロットにアダプタを介して接続されるコンパクトフラッシュ（登録商標）等の外部メモリ２０７へのアクセスを制御する。
【００３３】
またＩ／Ｆ２０３は、ネットワークを介して外部機器と接続・通信するものであり、本実施形態においては錠剤シート払出装置１００のＩ／Ｆ２０８と通信可能に接続されている。
【００３４】
次に、錠剤シート払出装置１００のハードウェア構成について説明する。錠剤シート払出装置１００のＣＰＵ２０９は、バスに接続されている各デバイスを統括的に制御する。ＲＯＭ２１０にはＣＰＵ２０９の制御ブログラムや各種制御プログラムが記憶されている。ＲＡＭ２１１は、ＣＰＵ２０９が動作するためのシステムワークメモリとして機能する。ＣＰＵ２０９は、払出動作する際に動作させる払出機構２１２を制御したりする。
【００３５】
また、ＣＰＵ２０９は、キーボードや不図示のマウス等の入力端末２０６からの入力や、ディスプレイ２０５等の表示器への表示を制御する。
【００３６】
Ｉ／Ｆ２０８は、ネットワークを介して外部機器と接続・通信するものであり、本実施形態においては情報処理装置のＩ／Ｆ３２と通信可能に接続されている。
【００３７】
なおディスプレイ２１３は、指やペン等にてユーザがディスプレイで表示する表示画面内の対象位置を指定するタッチパネル機能を含むものであってもよい。
以上で図２の説明を終了する。
【００３８】
次に、図３を用いて、錠剤シート払出装置１００で錠剤シートを払い出すために用いられる処方箋（以下、処方データとも呼ぶ）のデータテーブルについて説明する。
【００３９】
図３の処方データテーブルは、情報処理装置３００の外部メモリ２０７、または錠剤シート払出装置１００のＲＯＭ２１０で管理される。
【００４０】
図３の処方データテーブルは、レセプトＰＣから情報処理装置３００に送信され、情報処理装置３００から錠剤シート払出装置１００に送信されても良いし、ユーザが情報処理装置３００や錠剤シート払出装置１００上で直接入力しても良い。
【００４１】
処方Ｎｏ３０１は、各処方データを識別するための番号を示す。服用パターン３０２は、各処方データに含まれる薬剤の服用パターン（左から朝、昼、夜何錠ずつ服用するか）を示す。
【００４２】
図３の全分包数３０３は、薬剤名３０５に示す薬剤を分包する包の数を示す。１包には同一の処方データに含まれる同じ服用タイミングの薬剤が全て包装される。つまり、図３の「処方Ｎｏ．１」の場合、「錠剤Ａ」１錠と、「錠剤Ｂ」１錠と、「錠剤Ｃ」１錠が１つの包に包装されることになる。
【００４３】
図３の全薬剤数３０４は、薬剤名３０５に示す薬剤が分包される数の合計を示す。薬剤名３０５は、各薬剤を特定するための薬剤名を示す。薬剤Ｎｏ３０６は、各薬剤を一義に区別する番号を示す。その他にも、図３に図示していないが、処方データの処方対象となっている患者名や、患者を一義に識別するための患者ＩＤも図３のデータテーブルに含まれている。
次に、図４を用いて、本願発明における薬剤データテーブルの一例について説明する。
【００４４】
薬剤データテーブルは、情報処理装置３００の外部メモリ２０７、または錠剤シート払出装置１００のＲＯＭ２１０で管理される。
【００４５】
錠剤シート名（薬品名）４０１には、各錠剤シートに収容される薬剤を示す錠剤シート名（薬品名）が記憶される。
【００４６】
錠剤収容数４０２には、錠剤シート名（薬品名）４０１の錠剤シート１枚あたりに収容される錠剤数が記憶される。以上で図４の説明を終了する。
【００４７】
ここで、図５（ａ）を用いて、従来の錠剤シート払出装置１００について説明する。図５は、本願発明を適用した場合と従来の場合の、錠剤シート払出装置１００による端数の錠剤の払い出しの違いを示す図である。
【００４８】
従来、錠剤シート払出装置１００は、図３の処方データテーブルの処方Ｎｏ１の錠剤Ａを払い出す場合、錠剤Ａの全薬剤数３０４は１２錠であり、錠剤Ａを収容した錠剤シートＡの１枚あたりの錠剤収容数４０２が１０錠であるため、錠剤Ａの全薬剤数３０４を錠剤収容数４０２で除算し、その結果、商が１で余剰（端数）が２となるため、図５（ａ）に示すとおり、錠剤が１０錠収容された錠剤シートＡ１枚と、収容する錠剤が端数分の２錠となるようにカットした錠剤シートＡを１枚払い出していた。
【００４９】
しかしながら、カットした錠剤シートＡを、錠剤供給装置１０の錠剤取出しユニットにセットした場合、錠剤取出しユニットの錠剤シートがセットされる位置から錠剤取出し位置までの間にある、錠剤取出し位置まで錠剤シートを搬送するためのローラーが、錠剤シート１枚の平均の長さに合うように所定の間隔をあけて複数配置されているため、カットした錠剤シートＡのように通常より短い錠剤シートの場合、ローラーとローラーの間で錠剤シートが止まってしまい、錠剤取出しユニットの動作を妨げる恐れがあった。
【００５０】
そこで、本願発明では、図５（ｂ）に示すように、錠剤シート払出装置１００が、処方データテーブルの処方Ｎｏ１の錠剤Ａを払い出すときに、その後錠剤供給装置１０により錠剤シートから錠剤を取り出す場合には、収容する錠剤が端数分の２錠となるように錠剤シートＡをカットすることなく、錠剤が１０錠収容された錠剤シートＡを２枚払い出すように制御する。
【００５１】
つまり、錠剤シートに収容される錠剤を取り出して供給する錠剤供給装置により、前記取出し手段で取り出した錠剤シートで収容する錠剤を取り出す場合には、前記判定手段により剰余が発生すると判定された場合であっても、当該剰余分の錠剤数となるように前記錠剤シートを前記切取手段で切り取ることなく、前記取出し手段により当該錠剤シートを取り出すように制御する（制御手段）。
【００５２】
より具体的には、図６に示す、設定画面を、情報処理装置３００のディスプレイ２０５、または錠剤シート払出装置１００のディスプレイ２１３に表示し、ユーザから錠剤シート払出装置１００で払いだした後の錠剤シートの処理方法の指定を受け付ける。
【００５３】
図６は、情報処理装置３００のディスプレイ２０５、または錠剤シート払出装置１００のディスプレイ２１３に表示される設定画面の一例を示す図である。
【００５４】
処方データ欄６０１には、レセプトＰＣから送信されたり、設定画面上でユーザが入力した処方データが一覧で表示される。処方データ欄６０１の中から、ユーザからこれから錠剤シートを払いだす処方データの選択を受け付け、選択を受け付けるとその処方データは識別表示される。
【００５５】
ユーザは、錠剤シートを払いだす処方データを選択した後に、当該錠剤シートのその後の処理について、手渡しボタン６０２、カセット式分包機で１包化ボタン６０３、錠剤取出し装置で１包化ボタン６０４のいずれかを選択して、開始ボタン６０５、またはキャンセルボタン６０６を押下する。
【００５６】
手渡しボタン６０２は、錠剤シート払出装置１００により払い出した錠剤シートを払いだした後に、患者に錠剤シートを手渡す場合に選択されるボタンであり、当該手渡しボタン６０２がユーザにより押下されると、錠剤シート払出装置１００は、端数分について、図５（ａ）に示すようにカットして払い出す。
【００５７】
カセット式分包機で１包化ボタン６０３は、錠剤シート払出装置１００により払い出した錠剤シートを払いだした後に、錠剤シートから手動で錠剤を取り出して、カセット式分包機の可変カセット（錠剤投入部）に投入する場合に選択されるボタンであり、当該カセット式分包機で１包化ボタン６０３がユーザにより押下されると、錠剤シート払出装置１００は、端数分について、図５（ａ）に示すようにカットして払い出す。
【００５８】
本願発明において、カセット式分包機は、「国際公開第２０１４／１１２２２１号」に記載の「薬品払出装置１００」を、可変カセットは、「国際公開第２０１４／１１２２２１号」に記載の「可変カセット２２」を用いることができる。
【００５９】
錠剤取出し装置で１包化ボタン６０４は、錠剤シート払出装置１００により払い出した錠剤シートを払いだした後に、錠剤取出し装置２００（より具体的には錠剤供給装置１０）で錠剤シートから自動で錠剤を取り出して分包する場合に選択されるボタンであり、当該錠剤取出し装置で１包化ボタン６０４がユーザにより押下されると、錠剤シート払出装置１００は、端数分について、図５（ｂ）に示すようにカットすることなく払い出す。
【００６０】
開始ボタン６０５は、当該開始ボタン６０５がユーザにより押下されると、錠剤シート払出装置１００は、処方データ欄６０１から選択された処方データに含まれる錠剤を収容した錠剤シートの払い出しを行なう。
【００６１】
キャンセルボタン６０６は、錠剤シート払出装置１００による錠剤シートの払い出しをキャンセルするボタンである。以上で図６の説明を終了する。
【００６２】
錠剤供給装置１０により錠剤シートから錠剤を取り出す場合に、端数分の錠剤の錠剤シートをカットすることなく払い出すことで、通常より短い錠剤シートの場合、ローラーとローラーの間で錠剤シートが止まってしまい、錠剤取出しユニットの動作が妨げられる可能性を低減する事が可能となる。
【００６３】
次に、図７を用いて、本願発明における、錠剤シート払出装置１００による錠剤シートの払い出し処理の一例について説明する。
図７に示す各ステップは、錠剤シート払出装置１００のＣＰＵ２０９によって実行される。
【００６４】
ステップＳ７０１において、錠剤シート払出装置１００は、図３の処方データテーブルを、レセプトＰＣや情報処理装置３００から受信するか、錠剤シート払出装置１００上でユーザから直接入力を受け付けることで取得する。取得した処方データテーブルに含まれる処方データは、錠剤シート払出装置１００のディスプレイ２１３に表示される（具体的には図６の設定画面）。
【００６５】
ステップＳ７０２において、錠剤シート払出装置１００は、図６の設定画面の処方データ欄６０１の中から、ユーザからこれから錠剤シートを払いだす処方データの選択を受け付ける。
【００６６】
ステップＳ７０３において、錠剤シート払出装置１００は、ステップＳ７０２でユーザから選択を受け付けた処方データに含まれる薬剤（錠剤）を特定し、特定した薬剤ごとにステップＳ７０４〜ステップＳ７０８までの処理を実行する。
【００６７】
ステップＳ７０４において、錠剤シート払出装置１００は、処理の対象となっている薬剤の全薬剤数３０４と、当該薬剤を収容する錠剤シート１枚あたりの錠剤収容数４０２とを参照し、端数が発生するかを判定する。錠剤シート払出装置１００は、端数が発生すると判定された場合にはステップＳ７０６に処理を移行し、端数が発生しないと判定された場合には、ステップＳ７０５において、必要な枚数分の錠剤シートを払い出すように設定する。
【００６８】
ステップＳ７０４は、本発明における、前記取得手段で取得した錠剤数を、前記管理手段で管理する当該錠剤を収容する錠剤シート１枚に収容される錠剤数で除算したときに剰余が発生するかを判定する判定手段の一例である。
【００６９】
ステップＳ７０６において、錠剤シート払出装置１００は、処理の対象となっている薬剤を収容する錠剤シートを、錠剤取出し装置２００で分包するかを、図６の設定画面の錠剤取出し装置で１包化ボタン６０４がユーザによって押下されたかによって判定する。
【００７０】
錠剤シート払出装置１００は、処理の対象となっている薬剤を収容する錠剤シートを、錠剤取出し装置２００で分包するならば、ステップＳ７０７に処理を移行し、錠剤取出し装置２００で分包しないならば、ステップＳ７０８に処理を移行する。ステップＳ７０６で、錠剤取出し装置２００で分包しない場合とは、図６の設定画面の手渡しボタン６０２、またはカセット式分包機で１包化ボタン６０３がユーザにより押下された場合である。
【００７１】
ステップＳ７０７において、錠剤シート払出装置１００は、処理の対象となっている薬剤の端数分について、図５（ｂ）に示すようにカットすることなく払い出すように設定する。
【００７２】
ステップＳ７０７は、本発明における、錠剤シートに収容される錠剤を取り出して供給する錠剤供給装置により、前記取出し手段で取り出した錠剤シートで収容する錠剤を取り出す場合には、前記判定手段により剰余が発生すると判定された場合であっても、当該剰余分の錠剤数となるように前記錠剤シートを前記切取手段で切り取ることなく、前記取出し手段により当該錠剤シートを取り出すように制御する制御手段の一例である。
【００７３】
ステップＳ７０８において、錠剤シート払出装置１００は、処理の対象となっている薬剤の端数分について、図５（ａ）に示すようにカットして払い出すように設定する。
【００７４】
ステップＳ７０８は、本発明における、前記判定手段により剰余が発生すると判定された場合に、前記錠剤シートで収容する錠剤数が、当該剰余分の錠剤数となるように前記錠剤シートを切り取る切取手段（設定手段）の一例である。
【００７５】
錠剤シート払出装置１００は、処方データに含まれる薬剤の分ステップＳ７０４〜ステップＳ７０８までの処理を実行し終えると、ステップＳ７０９において、錠剤シート払出装置１００は、ステップＳ７０５、ステップＳ７０７、ステップＳ７０８の設定に従って、錠剤シートを払い出す。
【００７６】
なお、図７の実施形態において、ステップＳ７０１〜ステップＳ７０８までの処理を錠剤シート払出装置１００が実行するとしたが、他の実施形態として、ステップＳ７０１〜ステップＳ７０８までの処理を情報処理装置３００のＣＰＵ２０２が実行し、その結果を情報処理装置３００から錠剤シート払出装置１００に送信して、錠剤シート払出装置１００がステップＳ７０９の処理を実行するとしてもよい。
【００７７】
また、図７の実施形態では、ステップＳ７０６の判定を、図６の設定画面の錠剤取出し装置で１包化ボタン６０４、手渡しボタン６０２、またはカセット式分包機で１包化ボタン６０３のどれがユーザにより押下されたかによって判定するが、第２の実施形態として、患者の年齢によって、手渡しか錠剤取出し装置２００で１包化するかを判定してもよい。
【００７８】
では、以下、第２の実施形態について説明する。第２の実施形態では、処方データに患者の年齢を含むものとする。
【００７９】
第２の実施形態では、先の実施形態とステップＳ７０６の判定方法が異なるのみであり、その他の処理は、同じである。
【００８０】
第２の実施形態では、ステップ７０６において、患者の年齢が所定の年齢以上であるかによって、手渡しか錠剤取出し装置２００で１包化するかを判定する。より具体的には、一般的に高齢者と呼ばれる６５歳以上の患者であれば、錠剤シートから錠剤を取り出すのが、若い患者に比べて手間であると考えられるため、錠剤取出し装置２００で１包化する。
【００８１】
なお、ステップＳ７０６の判定方法は、患者が錠剤シートから錠剤を取り出すのが手間であるか否かを判定できれば良く、例えば、手が不自由である等の障害を持っているかによって判定しても良い。
以上で、本発明の説明を終了する。
【００８２】
以上、本発明によると、錠剤シートで収容する錠剤を取り出す錠剤取出し装置で、調剤する錠剤の錠剤数分の錠剤が取出し可能となるように、調剤する錠剤を収容する錠剤シートを取り出す払出装置で錠剤シートを取り出すことができる。
【００８３】
本発明は、例えば、システム、装置、方法、プログラム若しくは記憶媒体等としての実施形態も可能であり、具体的には、複数の機器から構成されるシステムに適用してもよいし、また、１つの機器からなる装置に適用してもよい。
【００８４】
なお、本発明は、前述した実施形態の機能を実現するソフトウェアのプログラムを、システム或いは装置に直接、或いは遠隔から供給するものを含む。そして、そのシステム或いは装置のコンピュータが前記供給されたプログラムコードを読み出して実行することによっても達成される場合も本発明に含まれる。
【００８５】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００８６】
その場合、プログラムの機能を有していれば、オブジェクトコード、インタプリタにより実行されるプログラム、ＯＳに供給するスクリプトデータ等の形態であってもよい。
【００８７】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【００８８】
その他、プログラムの供給方法としては、クライアントコンピュータのブラウザを用いてインターネットのホームページに接続する。そして、前記ホームページから本発明のコンピュータプログラムそのもの、若しくは圧縮され自動インストール機能を含むファイルをハードディスク等の記録媒体にダウンロードすることによっても供給できる。
【００８９】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００９０】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【００９１】
また、コンピュータが、読み出したプログラムを実行することによって、前述した実施形態の機能が実現される。その他、そのプログラムの指示に基づき、コンピュータ上で稼動しているＯＳなどが、実際の処理の一部又は全部を行い、その処理によっても前述した実施形態の機能が実現され得る。
【００９２】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部又は全部を行い、その処理によっても前述した実施形態の機能が実現される。
【００９３】
なお、前述した実施形態は、本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【００９４】
１００  錠剤シート払出装置
２００  錠剤取出し装置
３００  情報処理装置
【図１】
2018051111.tif 000003
【図２】
2018051111.tif 000004
【図３】
2018051111.tif 000005
【図４】
2018051111.tif 000006
【図５】
2018051111.tif 000007
【図６】
2018051111.tif 000008
【図７】
2018051111.tif 000009